(57)【要約】    【課題】  人体などの検出対象物の検出距離は長くする。水滴などの非検出対象物には無感にする。    【解決手段】  一対の電極は、一方を線状に他方を面状にして並列し、線状電極１が面状電極２に隠れない側を前側検出領域にし、面状電極の後側に、接地する遮蔽電極８を並列し、遮蔽電極と面状電極の間の周りに、線状電極に接続した線状補助電極１０を配列した。電気回路は、一対の電極によるコンデンサ、コイル、抵抗器と発信源を直列接続し、抵抗器両端の電圧を測定する測定器を設け、抵抗器と発信源の間を接地し、測定器の測定値の変化により検出対象物の接近を検出する構成にした。発信源の周波数は、非検出対象物の接近に対して無感の周波数に設定し、検出対象物が前側検出領域で接近すると、測定器の測定値が変化し、非検出対象物が一対の電極の間、線状補助電極と面状電極の間に接近しても、測定器の測定値が変化しない構成にした。【選択図】  図４
2010038877.tif 000002
【特許請求の範囲】
【請求項１】
コンデンサを構成する一対の電極に検出対象物が接近すると、静電容量が変化して電気回路が検出対象物の接近を検出する静電容量型近接センサにおいて、
一対の電極は、一方を表面積の少ない線状の電極にし、他方を表面積の多い面状の電極にし、
線状電極と面状電極は、間隔を置いて並列し、線状電極が面状電極に隠れない側を前側の検出領域にし、
面状電極の後側には、間隔を置いて遮蔽電極を並列して対面し、遮蔽電極を接地する構成にし、
遮蔽電極と面状電極の間の周りに線状補助電極を配列し、線状補助電極を線状電極に接続し、
電気回路は、線状電極と面状電極によるコンデンサ、面状電極に接続したコイルと発信源を直列に接続し、直列共振回路を構成し、コイルと発信源の間を測定個所にし、測定個所の電流又は測定個所に接続した抵抗器の両端の電圧を測定する測定器を設け、測定個所と発信源の間を接地する構成にし、測定器の測定値の変化に基づいて検出対象物の接近を検出する構成にし、
発信源の発信交流の周波数は、非検出対象物の接近に対して無感の周波数に設定し、接地体の検出対象物が線状電極と面状電極に前側の検出領域で接近すると、測定器の測定値が変化し、非接地の非検出対象物が線状電極と面状電極の間に接近しても、線状補助電極と面状電極の間に接近しても、測定器の測定値が変化しない、又は、ほとんど変化しない構成にしたことを特徴とする静電容量型近接センサ。
【請求項２】
コンデンサを構成する一対の電極に検出対象物が接近すると、静電容量が変化して電気回路が検出対象物の接近を検出する静電容量型近接センサにおいて、
一対の電極は、一方を表面積の少ない線状の電極にし、他方を表面積の多い面状の電極にし、
線状電極と面状電極は、間隔を置いて並列し、線状電極が面状電極に隠れない側を前側の検出領域にし、
面状電極の後側には、間隔を置いて遮蔽電極を並列して対面し、遮蔽電極を接地する構成にし、
電気回路は、線状電極と面状電極によるコンデンサ、面状電極に接続したコイルと発信源を直列に接続し、直列共振回路を構成し、コイルと発信源の間を測定個所にし、測定個所の電流又は測定個所に接続した抵抗器の両端の電圧を測定する測定器を設け、測定個所と発信源の間を接地する構成にし、測定器の測定値の変化に基づいて検出対象物の接近を検出する構成にし、
面状電極と大地の間に接続する検出距離拡大用コンデンサを設け、検出対象物の接近による測定器の測定値の変化量を拡大する構成にし、
発信源の発信交流の周波数は、非検出対象物の接近に対して無感の周波数に設定し、接地体の検出対象物が線状電極と面状電極に前側の検出領域で接近すると、測定器の測定値が変化し、非接地の非検出対象物が線状電極と面状電極の間に接近しても、測定器の測定値が変化しない、又は、ほとんど変化しない構成にしたことを特徴とする静電容量型近接センサ。
【請求項３】
面状電極と大地の間に接続する検出距離拡大用コンデンサを設け、検出対象物の接近による測定器の測定値の変化量を拡大する構成にしたことを特徴とする請求項１に記載の静電容量型近接センサ。
【請求項４】
面状電極とコイル及び面状電極とコイルを接続した電線は、ケースに内蔵し、相対位置を固定したことを特徴とする請求項１に記載の静電容量型近接センサ。
【請求項５】
面状電極、コイル、検出距離拡大用コンデンサ及び面状電極とコイルを接続した電線、面状電極と検出距離拡大用コンデンサを接続した電線は、ケースに内蔵し、相対位置を固定したことを特徴とする請求項２又は３に記載の静電容量型近接センサ。
【発明の詳細な説明】
【技術分野】
【０００１】
本発明は、静電容量の変化に基づいて人体などの接近を検出する近接センサ、詳しくは複数の電極を備えた静電容量型近接センサに関する。
【背景技術】
【０００２】
この種の近接センサは、２枚の電極を平板状にし、平板状の両電極を並列して対面している。両電極は、コンデンサを構成している。人体などの接地体が電極に接近すると、両電極間の静電容量が変化する。また、電極と大地の間の静電容量が変化する。接地体の接近によって、電極と大地の間にコンデンサが接続されたことになる。静電容量の変化に基づいて電気回路が接地体の接近を検出する。
【０００３】
【特許文献１】特開２００６−７８４２２号公報
【発明の開示】
【発明が解決しようとする課題】
【０００４】
［課  題］
静電容量型の近接センサでは、人体などの接地体、検出対象物を検出する距離は、電極の前側の検出領域では長く、電極の後側の非検出領域では短いことが望まれる。その上、水滴や雨滴などの非検出対象物には、出力せず、無感であることが望まれる。誤動作が少ないことが望まれる。
【０００５】
［本発明者の先行発明（図１〜図３参照）］
先行の静電容量型近接センサは、図１に示すように、線状電極１、面状電極２と遮蔽電極８を備えている。線状電極１は、電線である。面状電極２は、金属板を四角筒形状に屈曲している。これは、後側板３の上縁と下縁にそれぞれ上側板４、下側板５を介して前側板６、７を連結している。上下の前側板６、７の間には、隙間を設けている。その隙間には、線状電極１を配列している。線状電極１は、面状電極２に並列し、面状電極２の後側板３と上下の前側板６、７に対して等距離に位置している。
【０００６】
線状電極１と面状電極２は、コンデンサを構成している。面状電極２の前側板６、７側は、線状電極１が面状電極２に隠れない側であり、前側の検出領域である。面状電極２の後側板３側は、後側の非検出領域である。線状電極１と面状電極２は、前側の検出領域で検出対象物の検出距離を長くする。
【０００７】
遮蔽電極８は、面状電極２の後側板３と同様に平板であり、後側板３の後側に間隔を置いて並列している。遮蔽電極８は、接地する構成にしている。この遮蔽電極８は、後側の非検出領域で検出対象物の検出距離を短くする。遮蔽電極８と面状電極２は、コンデンサを構成している。
線状電極１、面状電極２と遮蔽電極８は、電気絶縁体のケース９に内蔵している。ケース９は、感知部を構成している。
【０００８】
電気回路は、図２に示すように、線状電極１と面状電極２が構成するコンデンサ１１、コイル１２、抵抗器１３と発信源１４を直列に接続している。コイル１２には、面状電極２を接続している。抵抗器１３と発信源１４の間は、接地している。遮蔽電極８と面状電極２が構成するコンデンサ１５は、直列接続のコイル１２と抵抗器１３に並列に接続することになる。
【０００９】
抵抗器１３には、その両端の電圧Ｅを測定する測定器１６を接続している。測定器１６の測定値の変化に基づいて検出対象物の接近を検出する。発信源１４は、発信交流の周波数ｆを変更可能にしている。
【００１０】
コンデンサ１１は、静電容量Ｃｄを有する。実験例では、Ｃｄ＝３０ｐＦ位である。コイル１２は、自己インダクタンスＬと巻き線間静電容量Ｃを有する。実験例では、Ｌ＝１５ｍＨであり、Ｃ＝２０ｐＦである。検出用の抵抗器１３は、抵抗Ｒを有する。実験例では、Ｒ＝１ｋΩである。コンデンサ１５は、静電容量Ｃｓを有する。実験例では、Ｃｓ＝２０ｐＦ位である。
【００１１】
コンデンサ１１、コンデンサ１５とコイル１２は、直列共振回路を構成する。コイル１２の自己インダクタンスＬと巻き線間静電容量Ｃは、並列共振回路を構成する。直列共振周波数は、並列共振周波数より低い。電圧Ｅのゲインと発信源１４の発信交流の周波数ｆの関係は、図３の線図に実線で示すようになる。
【００１２】
前側の検出領域で人体などの接地体、検出対象物が電極１、２に近づくと、コンデンサ１１の静電容量Ｃｄが減少する。その減少量は、１ｐＦ弱である。一方、人体などの接近で面状電極２と大地の間にコンデンサが接続されたことになる。人体などの接近によるコンデンサがコンデンサ１５に並列に接続されたことになる。面状電極２と大地の間の静電容量が増加する。その増加量は、１０ｐＦ位である。
【００１３】
人体などの接近で、直列共振回路は、コンデンサ１１の静電容量Ｃｄとコンデンサ１５の静電容量Ｃｓに人体などの接近によるコンデンサの静電容量が加わり、合成静電容量が増加する。直列共振周波数が低くなる。また、面状電極２と大地の間を流れる電流は、コンデンサ１５側、人体などの接近によるコンデンサ側に分流する量が増加し、抵抗器１３側に分流する量が減少する。抵抗器１３を流れる電流が減少する。電圧Ｅが減少する。電圧Ｅのゲインと発信源１４の発信交流の周波数ｆの関係は、図３の線図に破線で示すようになる。直列共振の特性曲線が周波数ｆの低い方に移動すると共に、電圧Ｅのゲインの低い方に移動する。
【００１４】
非検出対象物の水滴や雨滴などが感知部のケース９に付着して線状電極１と面状電極２の前側板６、７の間に近づくと、その非接地の水滴や雨滴などが線状電極１と面状電極２の間の誘電体として作用し、両電極１、２によるコンデンサ１１の静電容量Ｃｄが増加する。非接地の水滴などの接近で、直列共振回路は、静電容量が増加する。直列共振周波数が低くなる。また、コンデンサ１１、コイル１２と抵抗器１３の直列接続部は、インピーダンスが減少し、抵抗器１３を流れる電流が増加する。電圧Ｅが増加する。電圧Ｅのゲインと発信源１４の発信交流の周波数ｆの関係は、図３の線図に鎖線で示すようになる。直列共振の特性曲線が周波数ｆの低い方に移動すると共に、電圧Ｅのゲインの高い方に移動する。
【００１５】
図３の線図において、実線で示す初期設定時の直列共振周波数より高い周波数域で、実線で示す初期設定時の特性曲線と鎖線で示す水滴接近時の特性曲線が交差する。その交差点の周波数ｆｎ付近では、水滴などの接近で電圧Ｅが変化しない、又は、ほとんど変化しない。水滴などの接近に対して無感の周波数ｆｎが存在する。そこで、発信源１４は、発信交流の周波数ｆを水滴無感の周波数ｆｎに設定する。
【００１６】
すると、非検出対象物の水滴や雨滴などが線状電極１と面状電極２の間に近づいても、電圧Ｅを測定する測定器１６の測定値が変化せず、又は、ほとんど変化せず、電気回路は、出力しない。誤動作が発生しない。
【００１７】
なお、測定器１６は、抵抗器１３の両端の電圧Ｅを測定するが、抵抗器１３接続個所、測定個所の電流を測定しても同様である。抵抗器１３は、なくしてもよい。
【００１８】
［先行発明の課題］
１）先行の静電容量型近接センサにおいて、非検出対象物の水滴や雨滴などが遮蔽電極８と面状電極２の間に近づくと、その非接地の水滴や雨滴などが遮蔽電極８と面状電極２の間の誘電体として作用し、コンデンサ１５の静電容量Ｃｓが増加する。面状電極２と大地の間の静電容量が増加する。電気回路は、検出対象物の人体などの接地体が電極１、２に近づいたときと同様に、出力する。非検出対象物の非接地体が遮蔽電極８と面状電極２の間に近づくと、誤動作が発生する。
【００１９】
２）非検出対象物の水滴や雨滴などには、無感である上、検出対象物の検出距離は、前側の検出領域で更に長いことが望まれる。
【００２０】
［課題を解決するための着想（図４、図５、図６参照）］
１）先行の静電容量型近接センサにおいて、発信源１４の発信交流の周波数ｆを水滴無感の周波数ｆｎに設定すると、水滴や雨滴などが線状電極１と面状電極２の間に近づいても、電気回路は、出力しない。
【００２１】
そこで、図４に示すように、面状電極２と遮蔽電極８の間の周りに、線状電極１に接続した線状補助電極１０を配列する、ことにした。
【００２２】
水滴や雨滴などが遮蔽電極８と面状電極２の間に近づくと、その水滴や雨滴などは、遮蔽電極８と線状補助電極１０との間に近づいたことになったり、線状補助電極１０と面状電極２との間に近づいたことになったりする。水滴や雨滴などが線状補助電極１０と面状電極２との間に近づくと、線状電極１と面状電極２との間に近づいたときと同様であり、電気回路は、出力しない。また、水滴や雨滴などが遮蔽電極８と線状補助電極１０との間に近づくと、線状補助電極１０ないし線状電極１と大地の間の静電容量が増加するが、電気回路は、出力しない。
【００２３】
結局、非検出対象物の水滴や雨滴などが感知部の遮蔽電極８と面状電極２の間に近づいても、電気回路は、出力しない。誤動作が発生しない。
【００２４】
２）図３の線図において、発信源１４の発信交流の周波数ｆが水滴無感の周波数ｆｎであるときに、実線で示す初期設定時の特性曲線と破線で示す人体接近時の特性曲線との間の電圧Ｅのゲインの差ΔＥが大きいと、検出対象物の検出距離が前側の検出領域で長くなる。そして、その電圧のゲインの差ΔＥは、水滴無感の周波数ｆｎが初期設定時の直列共振周波数に近くなる程、並列共振周波数から遠くなる程、大きくなる。
【００２５】
そこで、電気回路は、図５に示すように、面状電極２と大地の間に接続するコンデンサ１７を設ける、ことにした。すると、電圧Ｅのゲインと発信源１４の発信交流の周波数ｆの関係は、図６の線図に示すようになる。図６の線図では、図３の線図に比較して、実線で示す初期設定時には、直列共振周波数は、低くなり、並列共振周波数から遠くなる。また、直列共振時の電圧Ｅのゲインは、低くなる。水滴無感の周波数ｆｎは、初期設定時の直列共振周波数に近くなり、並列共振周波数から遠くなる。発信源１４の発信交流の周波数ｆが水滴無感の周波数ｆｎであるときに、実線で示す初期設定時の特性曲線と破線で示す人体接近時の特性曲線との間の電圧のゲインの差ΔＥが大きくなる。コンデンサ１７は、電圧ゲインの差ΔＥ、電圧Ｅを測定する測定器の測定値の変化量を拡大する。検出対象物の検出距離を拡大する。
【００２６】
検出距離拡大用のコンデンサ１７の静電容量Ｃａは、実験例では、４０ｐＦである。静電容量Ｃａは、２０〜５０ｐＦ位が望ましい。２０ｐＦ位より小さくなると、測定器１６の測定値の変化量を拡大する効果が少なくなる。５０ｐＦ位より大きくなると、直列共振時の電圧ゲインの低下量が大きくなり、測定器１６の測定値の変化量を拡大する効果が得られ難くなる。
【課題を解決するための手段】
【００２７】
１）コンデンサを構成する一対の電極に検出対象物が接近すると、静電容量が変化して電気回路が検出対象物の接近を検出する静電容量型近接センサにおいて、
一対の電極は、一方を表面積の少ない線状の電極にし、他方を表面積の多い面状の電極にし、
線状電極と面状電極は、間隔を置いて並列し、線状電極が面状電極に隠れない側を前側の検出領域にし、
面状電極の後側には、間隔を置いて遮蔽電極を並列して対面し、遮蔽電極を接地する構成にし、
遮蔽電極と面状電極の間の周りに線状補助電極を配列し、線状補助電極を線状電極に接続し、
電気回路は、線状電極と面状電極によるコンデンサ、面状電極に接続したコイルと発信源を直列に接続し、直列共振回路を構成し、コイルと発信源の間を測定個所にし、測定個所の電流又は測定個所に接続した抵抗器の両端の電圧を測定する測定器を設け、測定個所と発信源の間を接地する構成にし、測定器の測定値の変化に基づいて検出対象物の接近を検出する構成にし、
発信源の発信交流の周波数は、非検出対象物の接近に対して無感の周波数に設定し、接地体の検出対象物が線状電極と面状電極に前側の検出領域で接近すると、測定器の測定値が変化し、非接地の非検出対象物が線状電極と面状電極の間に接近しても、線状補助電極と面状電極の間に接近しても、測定器の測定値が変化しない、又は、ほとんど変化しない構成にしたことを特徴とする。
２）コンデンサを構成する一対の電極に検出対象物が接近すると、静電容量が変化して電気回路が検出対象物の接近を検出する静電容量型近接センサにおいて、
一対の電極は、一方を表面積の少ない線状の電極にし、他方を表面積の多い面状の電極にし、
線状電極と面状電極は、間隔を置いて並列し、線状電極が面状電極に隠れない側を前側の検出領域にし、
面状電極の後側には、間隔を置いて遮蔽電極を並列して対面し、遮蔽電極を接地する構成にし、
電気回路は、線状電極と面状電極によるコンデンサ、面状電極に接続したコイルと発信源を直列に接続し、直列共振回路を構成し、コイルと発信源の間を測定個所にし、測定個所の電流又は測定個所に接続した抵抗器の両端の電圧を測定する測定器を設け、測定個所と発信源の間を接地する構成にし、測定器の測定値の変化に基づいて検出対象物の接近を検出する構成にし、
面状電極と大地の間に接続する検出距離拡大用コンデンサを設け、検出対象物の接近による測定器の測定値の変化量を拡大する構成にし、
発信源の発信交流の周波数は、非検出対象物の接近に対して無感の周波数に設定し、接地体の検出対象物が線状電極と面状電極に前側の検出領域で接近すると、測定器の測定値が変化し、非接地の非検出対象物が線状電極と面状電極の間に接近しても、測定器の測定値が変化しない、又は、ほとんど変化しない構成にしたことを特徴とする。
３）上記１）の静電容量型近接センサにおいて、
面状電極と大地の間に接続する検出距離拡大用コンデンサを設け、検出対象物の接近による測定器の測定値の変化量を拡大する構成にしたことを特徴とする。
４）上記１）の静電容量型近接センサにおいて、
面状電極とコイル及び面状電極とコイルを接続した電線は、ケースに内蔵し、相対位置を固定したことを特徴とする。
５）上記２）又は３）の静電容量型近接センサにおいて、
面状電極、コイル、検出距離拡大用コンデンサ及び面状電極とコイルを接続した電線、面状電極と検出距離拡大用コンデンサを接続した電線は、ケースに内蔵し、相対位置を固定したことを特徴とする。
【発明の効果】
【００２８】
人体などの検出対象物の検出距離は、前側の検出領域で長い。水滴や雨滴などの非検出対象物には、出力せず、無感である。
【発明を実施するための最良の形態】
【００２９】
実施形態の静電容量型近接センサは、図７に示すように、一対の電極１、２、遮蔽電極８と線状補助電極１０などを内蔵した感知部２１をシールド線２２、２３のケーブルで電気回路部３１に接続している。
【００３０】
感知部２１は、図８〜図１０に示すように、線状電極１、面状電極２、遮蔽電極８と線状補助電極１０、２９及びコイル１２と検出距離拡大用コンデンサ１７を内蔵している。
【００３１】
線状電極１は、丸棒の金属線、電線にしている。
面状電極２は、金属板を弓形状断面の筒形状に屈曲している。この面状電極２は、後側板２４の上縁と下縁に上前側板２５と下前側板２６を連結している。後側板２４は、長方形状の平板にしている。上前側板２５と下前側板２６は、それぞれ、長方形状の湾曲板にしている。上前側板２５と下前側板２６の間には、隙間を設けている。その隙間には、線状電極１を配列している。線状電極１は、面状電極２に並列し、面状電極２の後側板２４、上前側板２５と下前側板２６に対して等距離に位置している。
【００３２】
遮蔽電極８は、長方形状の金属板の平板にし、面状電極２の後側板２４の後側に間隔を置いて並列している。この遮蔽電極８は、後側板２４より一回り小さくしている。線状電極１、面状電極２と遮蔽電極８は、長さ方向を揃えている。
【００３３】
面状電極２の片端側には、コイル１２、検出距離拡大用コンデンサ１７とケーブル２２、２３の一端を配置している。ケーブル２２、２３は、２本のシールド線２２、２３を束ねている。コイル１２は、一端を面状電極２に電線２７で接続し、他端をシールド線２２の心線に接続している。他のシールド線２３は、心線を線状電極１に接続している。両シールド線２２、２３の被覆網線は、遮蔽電極８に接続している。検出距離拡大用コンデンサ１７は、一端を面状電極２に電線２８で接続し、他端をシールド線２２、２３の被覆網線に接続している。
【００３４】
遮蔽電極８と面状電極２の後側板２４の間の周りには、線状補助電極１０を配列している。線状補助電極１０は、電線にし、略コの字形に折り曲げ、遮蔽電極８と面状電極２の上側と下側及びケーブル２２、２３と反対側の端側に配置している。また、コイル１２、検出距離拡大用コンデンサ１７とケーブル２２、２３の一端及び電線２７、２８の前側にも、線状補助電極２９を配列している。線状補助電極２９は、電線にし、長方形枠状に折り曲げている。両線状補助電極１０、２９は、線状電極１に接続している。
【００３５】
線状電極１、面状電極２、遮蔽電極８と両線状補助電極１０、２９及びコイル１２、検出距離拡大用コンデンサ１７、両電線２７、２８とケーブル２２、２３の一端は、合成樹脂液に没入し、合成樹脂液を硬化してケース９に成形している。ケース９は、合成樹脂成形品の電気絶縁体にし、弓形状断面の長方形板状にしている。ケース９の線状電極１側は、線状電極１が面状電極２に隠れず、前側の検出領域にしている。遮蔽電極８側は、線状電極１が面状電極２に隠れ、後側の非検出領域にしている。
【００３６】
線状電極１と面状電極２は、コンデンサ１１を構成している。コンデンサ１１は、静電容量Ｃｄを有する。面状電極２と遮蔽電極８は、コンデンサ１５を構成している。コンデンサ１５は、静電容量Ｃｓを有する。コイル１２は、自己インダクタンスＬと巻き線間静電容量Ｃを有する。検出距離拡大用コンデンサ１７は、静電容量Ｃａを有する。
【００３７】
電気回路部３１は、発信源１４、抵抗器１３、測定器１６とケーブル２２、２３の他端を内蔵している。発信源１４は、一端を抵抗器１３の一端に、他端をシールド線２３の心線に接続している。抵抗器１３の他端は、シールド線２２の心線に接続している。両シールド線２２、２３の被覆網線は、抵抗器１３と発信源１４の間に接続している。抵抗器１３と発信源１４の間は、接地する構成にしている。発信源１４は、発信交流の周波数ｆを変更可能にしている。測定器１６は、抵抗器１３の両端の電圧Ｅを測定する構成にしている。電気回路は、図１０に示す通りである。これは、図５に示した電気回路に線状補助電極１０を追加している。
【００３８】
電圧Ｅのゲインと発信源１４の発信交流の周波数ｆの関係は、図６に示した線図の特性曲線のようになる。発信源１４は、発信交流の周波数ｆを水滴無感の周波数ｆｎに設定する。人体などの検出対象物の検出距離は、前側の検出領域で長い。その上、水滴や雨滴などの非検出対象物には、出力せず、無感である。
【００３９】
面状電極２、コイル１２、検出距離拡大用コンデンサ１７と電線２７、２８は、ケース９の電気絶縁体に埋没し、相対位置を固定している。それら付近の漂遊容量や漂遊インダクタンスが変化し難い。漂遊容量や漂遊インダクタンスの変化による直列共振特性のずれが発生し難い。
【００４０】
［変形例］
１）上記の実施形態において、線状電極１と両線状補助電極１０、２９は、断面形状が円形であるが、角形にする。
２）上記の実施形態において、面状電極２は、弓形状断面の筒形状であるが、角筒形状、又は、その他の筒形状にする。
３）上記の実施形態において、面状電極２は、１枚の板を屈曲しているが、複数枚の板にする。
４）上記の実施形態において、測定器１６は、抵抗器１３の両端の電圧Ｅを測定するが、抵抗器１３接続個所、測定個所の電流を測定する。
５）上記の実施形態において、測定器１６の測定個所は、抵抗器１３を接続しているが、抵抗器１３を接続しない。
【産業上の利用可能性】
【００４１】
本発明は、特定個所への人体の接近による機械器具の作動の開始又は停止、移動体と人体の接近や衝突の防止、危険個所への人体の接近の防止、立入禁止区域への人体の侵入の防止や、人体の所在確認などに利用される。
【図面の簡単な説明】
【００４２】
【図１】先行の静電容量型近接センサの電極の斜視図。
【図２】同静電容量型近接センサの電気回路図。
【図３】同静電容量型近接センサにおける電圧ゲインと周波数の関係を示す線図。
【図４】本発明の静電容量型近接センサの電極を例示する斜視図。
【図５】同静電容量型近接センサの電気回路を例示する図。
【図６】同静電容量型近接センサにおける電圧ゲインと周波数の関係を例示する線図。
【図７】本発明の実施形態の静電容量型近接センサの模式図。
【図８】同静電容量型近接センサの感知部のケース破断正面図。
【図９】図８のＡ−Ａ線断面拡大図。
【図１０】同静電容量型近接センサの電気回路図。
【符号の説明】
【００４３】
１、２  一対の電極
１  線状電極、丸棒の金属線、電線
２  面状電極、金属板、屈曲板
３  面状電極の後側板
４  面状電極の上側板
５  面状電極の下側板
６、７  面状電極の前側板
８  遮蔽電極、金属板、平板
９  ケース、合成樹脂成形品の電気絶縁体
１０  線状補助電極、丸棒の金属線、電線
１１、Ｃｄ  線状電極と面状電極によるコンデンサ、その静電容量
１２、Ｌ、Ｃ  コイル、その自己インダクタンス、その巻き線間静電容量
１３、Ｒ、Ｅ  抵抗器、その抵抗、その両端の電圧
１４、ｆ、ｆｎ  発信源、その発信交流の周波数、水滴無感の周波数
１５、Ｃｓ  遮蔽電極と面状電極によるコンデンサ、その静電容量
１６  抵抗器両端の電圧を測定する測定器
１７、Ｃａ  検出距離拡大用コンデンサ、その静電容量
２１  感知部
２２、２３  シールド線のケーブル、ケーブル
２２  シールド線
２３  シールド線
２４  面状電極の後側板
２５  面状電極の上前側板
２６  面状電極の下前側板
２７  電線
２８  電線
２９  線状補助電極、丸棒の金属線、電線
３１  電気回路部
【図１】
2010038877.tif 000003
【図２】
2010038877.tif 000004
【図３】
2010038877.tif 000005
【図４】
2010038877.tif 000006
【図５】
2010038877.tif 000007
【図６】
2010038877.tif 000008
【図７】
2010038877.tif 000009
【図８】
2010038877.tif 000010
【図９】
2010038877.tif 000011
【図１０】
2010038877.tif 000012